(57)【要約】極端紫外光生成装置は、ノズルから前記ターゲットを供給するターゲット供給部と、第１の特性の光を出力して、前記ノズルから出力されたターゲットを照明する第１の照明装置と、前記第１の特性と異なる第２の特性の光を出力して、前記ノズルから出力されたターゲットを照明する第２の照明装置と、前記第１の特性の光で照明されたターゲットを撮影する第１の撮像装置と、前記第２の特性の光で照明されたターゲットを撮影する第２の撮像装置と、を含んでもよい。
2015166524.tif 000002
【特許請求の範囲】
【請求項１】
プラズマ生成領域のターゲットにレーザ光を照射することによってプラズマ化してＥＵＶ光を生成する装置において、
ノズルから前記ターゲットを供給するターゲット供給部と、
第１の特性の光を出力して、前記ノズルから出力されたターゲットを照明する第１の照明装置と、
前記第１の特性と異なる第２の特性の光を出力して、前記ノズルから出力されたターゲットを照明する第２の照明装置と、
前記第１の特性の光で照明されたターゲットを撮影する第１の撮像装置と、
前記第２の特性の光で照明されたターゲットを撮影する第２の撮像装置と、を備える極端紫外光生成装置。
【請求項２】
請求項１に記載の極端紫外光生成装置であって、
前記第１の撮像装置と前記第２の撮像装置とは、前記ターゲットの軌道を異なる方向から撮像する極端紫外光生成装置。
【請求項３】
請求項１に記載の極端紫外光生成装置であって、
前記第１の特性は、第１の波長であり、
前記第２の特性は、第２の波長である極端紫外光生成装置。
【請求項４】
請求項３に記載の極端紫外光生成装置であって、
前記第１の撮像装置の撮像素子と前記ターゲットの軌道との間の光路上に、前記第１の波長の光を通過させるフィルタを配置し、
前記第２の撮像装置の撮像素子と前記ターゲットの軌道との間の光路上に、前記第２の波長の光を通過させるフィルタを配置する極端紫外光生成装置。
【請求項５】
請求項１に記載の極端紫外光生成装置であって、
前記第１の特性は、出力の第１のタイミングであり、
前記第２の特性は、出力の第２のタイミングであり、
前記第１の撮像装置は、前記第１のタイミングで前記ターゲットを撮影し、
前記第２の撮像装置は、前記第２のタイミングで前記ターゲットを撮影する極端紫外光生成装置。
【請求項６】
請求項５に記載の極端紫外光生成装置であって、
前記第２のタイミングは、前記第１のタイミングとは重ならない極端紫外光生成装置。
【請求項７】
請求項１に記載の極端紫外光生成装置であって、
前記第１の特性は、第１の偏光であり、
前記第２の特性は、第２の偏光である極端紫外光生成装置。
【発明の詳細な説明】
【技術分野】
【０００１】
本開示は、極端紫外光生成装置に関する。
【背景技術】
【０００２】
近年、半導体プロセスの微細化に伴って、半導体プロセスの光リソグラフィにおける転写パターンの微細化が急速に進展している。次世代においては、７０ｎｍ〜４５ｎｍの微細加工、さらには３２ｎｍ以下の微細加工が要求されるようになる。このため、例えば３２ｎｍ以下の微細加工の要求に応えるべく、波長１３ｎｍ程度の極端紫外（ＥＵＶ）光を生成するための装置と縮小投影反射光学系（reduced projection reflective optics）とを組み合わせた露光装置の開発が期待されている。【０００３】
ＥＵＶ光生成装置としては、ターゲット材料にレーザ光を照射することによって生成されるプラズマを用いたＬＰＰ（Laser Produced Plasma）方式の装置と、放電によって生成されるプラズマを用いたＤＰＰ（Discharge Produced Plasma）方式の装置と、軌道放射光を用いたＳＲ（Synchrotron Radiation）方式の装置との３種類の装置が提案されている。
【先行技術文献】
【特許文献】
【０００４】
【特許文献１】米国特許第７１６４１４４号
【特許文献２】米国特許第７０８７９１４号
【特許文献３】米国特許公開第２０１０／２９４９５８号
【概要】
【０００５】
本開示の一例の極端紫外光生成装置は、ノズルからターゲットを供給するターゲット供給部と、第１の特性の光を出力して、前記ノズルから出力されたターゲットを照明する第１の照明装置と、前記第１の特性と異なる第２の特性の光を出力して、前記ノズルから出力されたターゲットを照明する第２の照明装置と、前記第１の特性の光で照明されたターゲットを撮影する第１の撮像装置と、前記第２の特性の光で照明されたターゲットを撮影する第２の撮像装置と、を含んでもよい。
【図面の簡単な説明】
【０００６】
本開示のいくつかの実施形態を、単なる例として、添付の図面を参照して以下に説明する。
【図１】図１は、例示的なＬＰＰ方式のＥＵＶ光生成システムの構成を概略的に示す。
【図２】図２は、ターゲット軌道計測装置を含む極端紫外光生成装置の比較例を示す。
【図３】図３は、ターゲットの軌道を計測して、目標のプラズマ生成領域の中心点を軌道が通過するように制御する制御システムの実施形態を示す。
【図４】図４は、２方向から光を照射されたターゲットの画像を示す。
【図５】図５は、互いに異なる波長の照明光を出力する照明装置を含むターゲット軌道計測装置の実施形態を示す。
【図６】図６は、互いに異なるタイミングで照明光を出力する照明装置を含むターゲット軌道計測装置の実施形態を示す。
【図７】図７は、照明装置及び撮像装置の動作タイミングを示す。
【図８】図８は、互いに異なる偏光の照明光を出力する照明装置を含むターゲット軌道計測装置の実施形態を示す。
【実施形態】
【０００７】
＜内容＞
１．概要
２．用語の説明
３．ＥＵＶ光生成システムの全体説明
４．ターゲット軌道計測装置を含む極端紫外光生成装置
５．実施形態１：互いに異なる波長の照明光を出力する照明装置を含むターゲット軌道計測装置
６．実施形態２：互いに異なるタイミングで照明光を出力する照明装置を含むターゲット軌道計測装置
７．実施形態３：互いに異なる偏波の光を出力する照明装置を含むターゲット軌道計測装置
【０００８】
以下、本開示の実施形態について、図面を参照しながら詳しく説明する。以下に説明される実施形態は、本開示のいくつかの例を示すものであって、本開示の内容を限定するものではない。また、各実施形態で説明される構成及び動作の全てが本開示の構成及び動作として必須であるとは限らない。なお、同一の構成要素には同一の参照符号を付して、重複する説明を省略する。
【０００９】
１．概要
従来の軌道制御システムでは、ターゲットの軌道を計測する際に、２方向からターゲットに光を照射し、２方向からターゲットの軌道を計測していた。このため、二つの照明光によって照明されたターゲットの軌道の二つの画像が計測され、ターゲットの軌道の計測精度が悪化することがあり得た。
【００１０】
本開示の一例の極端紫外光生成装置は、ノズルからターゲットを供給するターゲット供給部と、第１の特性の光を出力して、前記ノズルから出力されたターゲットを照明する第１の照明装置と、前記第１の特性と異なる第２の特性の光を出力して、前記ノズルから出力されたターゲットを照明する第２の照明装置と、前記第１の特性の光で照明されたターゲットを撮影する第１の撮像装置と、前記第２の特性の光で照明されたターゲットを撮影する第２の撮像装置と、を含んでもよい。
【００１１】
二つの照明装置が互いに異なる特性の光をターゲットに照射して、二つの撮像装置が異なる特性の光を撮影して、ターゲットの軌道を計測するので、ターゲットの軌道の計測精度が改善され得る。
【００１２】
２．用語の説明
本開示において使用される用語を以下に説明する。ターゲットの「軌道」は、ターゲット供給装置から出力されたターゲットの実際の経路である。
【００１３】
３．ＥＵＶ光生成システムの全体説明
３．１  構成
図１に、例示的なＬＰＰ方式のＥＵＶ光生成システムの構成を概略的に示す。ＥＵＶ光生成装置１は、少なくとも一つのレーザ装置３と共に用いられてもよい。本願においては、ＥＵＶ光生成装置１及びレーザ装置３を含むシステムを、ＥＵＶ光生成システム１１と称する。図１に示し、かつ、以下に詳細に説明するように、ＥＵＶ光生成装置１は、チャンバ２、ターゲット供給部２６を含んでもよい。
【００１４】
チャンバ２は、密閉可能であってもよい。ターゲット供給部２６は、例えば、チャンバ２の壁を貫通するように取り付けられてもよい。ターゲット供給部２６から供給されるターゲットの材料は、スズ、テルビウム、ガドリニウム、リチウム、キセノン、又は、それらの内のいずれか二つ以上の組合せを含んでもよいが、これらに限定されない。
【００１５】
チャンバ２の壁には、少なくとも一つの貫通孔が設けられてもよい。その貫通孔には、ウィンドウ２１が設けられてもよく、ウィンドウ２１をレーザ装置３から出力されるパルスレーザ光３２が透過してもよい。チャンバ２の内部には、例えば、回転楕円面形状の反射面を有するＥＵＶ光集光ミラー２３が配置されてもよい。ＥＵＶ光集光ミラー２３は、第１及び第２の焦点を有し得る。
【００１６】
ＥＵＶ光集光ミラー２３の表面には、例えば、モリブデンとシリコンとが交互に積層された多層反射膜が形成されてもよい。ＥＵＶ光集光ミラー２３は、例えば、その第１の焦点がプラズマ生成領域２５に位置し、その第２の焦点が中間集光点（ＩＦ）２９２に位置するように配置されるのが好ましい。ＥＵＶ光集光ミラー２３の中央部には貫通孔２４が設けられていてもよく、貫通孔２４をパルスレーザ光３３が通過してもよい。
【００１７】
ＥＵＶ光生成装置１は、ＥＵＶ光生成制御部５、ターゲットセンサ４等を含んでもよい。ターゲットセンサ４は、撮像機能を有してもよく、ターゲット２７の存在、軌跡、位置、速度の少なくとも一つを検出するよう構成されてもよい。ターゲット２７は、ドロップレット２７とも呼ばれ得る。
【００１８】
また、ＥＵＶ光生成装置１は、チャンバ２の内部と露光装置６の内部とを連通させる接続部２９を含んでもよい。接続部２９内部には、アパーチャが形成された壁２９１が設けられてもよい。壁２９１は、そのアパーチャがＥＵＶ光集光ミラー２３の第２の焦点位置に位置するように配置されてもよい。
【００１９】
さらに、ＥＵＶ光生成装置１は、レーザ光進行方向制御部３４、レーザ光集光ミラー２２、ターゲット２７を回収するためのターゲット回収器２８等を含んでもよい。レーザ光進行方向制御部３４は、レーザ光の進行方向を規定するための光学素子と、この光学素子の位置、姿勢等を調整するためのアクチュエータとを備えてもよい。
【００２０】
３．２  動作
図１を参照すると、レーザ装置３から出力されたパルスレーザ光３１は、レーザ光進行方向制御部３４を経て、パルスレーザ光３２としてウィンドウ２１を透過してチャンバ２内に入射してもよい。パルスレーザ光３２は、少なくとも一つのレーザ光経路に沿ってチャンバ２内を進み、レーザ光集光ミラー２２で反射されて、パルスレーザ光３３として少なくとも一つのターゲット２７に照射されてもよい。
【００２１】
ターゲット供給部２６は、ターゲット２７をチャンバ２内部のプラズマ生成領域２５に向けて吐出するよう構成されてもよい。ターゲット２７には、パルスレーザ光３３に含まれる少なくとも一つのパルスが照射されてもよい。パルスレーザ光が照射されたターゲット２７はプラズマ化し、そのプラズマから放射光２５１が放射され得る。
【００２２】
放射光２５１に含まれるＥＵＶ光２５２は、ＥＵＶ光集光ミラー２３によって選択的に反射されてもよい。ＥＵＶ光集光ミラー２３によって反射されたＥＵＶ光２５２は、中間集光点２９２で集光され、露光装置６に出力されてもよい。なお、一つのターゲット２７に、パルスレーザ光３３に含まれる複数のパルスが照射されてもよい。
【００２３】
ＥＵＶ光生成制御部５は、ＥＵＶ光生成システム１１全体の制御を統括するよう構成されてもよい。ＥＵＶ光生成制御部５は、ターゲットセンサ４によって撮像されたターゲット２７のイメージデータ等を処理するよう構成されてもよい。また、ＥＵＶ光生成制御部５は、例えば、ターゲット２７が供給されるタイミング、ターゲット２７の出力方向等を制御するよう構成されてもよい。
【００２４】
さらに、ＥＵＶ光生成制御部５は、例えば、レーザ装置３の発光タイミングの制御、パルスレーザ光３２の進行方向の制御及びパルスレーザ光３３の集光位置の制御の内少なくとも一つを行うよう構成されてもよい。上述の様々な制御は単なる例示に過ぎず、必要に応じて他の制御が追加されてもよい。
【００２５】
４．ターゲット軌道計測装置を含む極端紫外光生成装置の比較例
本開示は、ターゲットの軌道計測およびその制御装置を含む極端紫外光生成装置又は方法に関する。本開示の極端紫外光生成装置は、ターゲットの軌道を高精度に計測するターゲット軌道計測装置を含み、ターゲット軌道計測装置の検出結果に基づいて、ターゲットの軌道を制御してもよい。
【００２６】
４．１構成
図２に、ターゲット軌道計測装置を含む極端紫外光生成装置の比較例を模式的に示す。
【００２７】
ＥＵＶ光生成装置１は、チャンバ２と、レーザ装置３と、ビームデリバリーシステム（レーザ光進行方向制御部）３４と、ＥＵＶ光生成制御部５と、ターゲット制御部５２とを含んでもよい。
【００２８】
ＥＵＶチャンバ２は、ターゲット供給部２６と、２軸ステージ６３と、ターゲット軌道計測装置４９と、ウィンドウ２１と、レーザ集光光学系２２Ａと、プレート８３と、プレート８２と、ＥＵＶ光集光ミラーホルダ８１と、ＥＵＶ光集光ミラー２３と、ターゲット回収器２８とを含んでもよい。
【００２９】
ターゲット軌道計測装置４９は、少なくとも二つの照明装置７０と、少なくとも二つの撮像装置４０とを含んでもよい。なお、図２では、照明装置７０と撮像装置４０とは、それぞれ一台のみを図示する。照明装置７０は、光源７１と、レンズ７２と、ウィンドウ７３とを含んでもよい。光源７１は、例えば、ランプ、ＬＥＤ又はレーザ光源でもよい。レンズ７２は、例えば、コリメータでもよい。
【００３０】
撮像装置４０は、イメージセンサ４１と、転写光学系４２と、ウィンドウ４３とを含んでもよい。イメージセンサ４１は、２次元のＣＣＤセンサでもよい。ターゲットからの反射光がイメージセンサ４１上に結像するように、転写光学系４２とイメージセンサ４１とを配置してもよい。
【００３１】
ターゲット供給部２６は、Ｘ軸及びＺ軸方向に移動する２軸ステージ６３を介してチャンバ２に設置されてもよい。
【００３２】
４．２動作
ターゲット制御部５２は、露光装置制御部６１からＥＵＶ光生成制御部５を介して、目標となるプラズマ生成領域２５の中心位置Ｐｔを受信してもよい。レーザ集光光学系２２Ａは、不図示の３軸ステージ８５がプレート８３を移動することによって、レーザ光の集光点とＰｔが一致するように制御してもよい。
【００３３】
ＥＵＶ光生成制御部５からターゲット制御部５２にターゲットを出力するための出力信号が入力されてもよい。ターゲット制御部５２は、ＥＵＶ光生成制御部５からターゲット出力信号を受信すると、ターゲット供給部２６を制御して、ノズル６２からターゲット（ドロップレット）を出力させてもよい。出力したターゲットが、照明装置７０の光によって照明されるとターゲットの像が転写光学系４２によってイメージセンサ４１上に結像し得る。ここで、イメージセンサ４１の露光時間を所定時間まで長くしてもよい。イメージセンサ４１の露光時間を長くした場合、ドロップレットが移動した軌道が撮像され得る。
【００３４】
撮像装置４０は、画像処理部４４にターゲットの軌道計測信号を送信してもよい。画像処理部４４は、二つのイメージセンサ４１によって撮像されたターゲットの画像を画像処理してもよい。画像処理部４４は、二つの画像処理されたデータからターゲットの軌道を計算してもよい。このようにして、ターゲット軌道計測装置４９はターゲットの軌道を計測してもよい。
【００３５】
ターゲット制御部５２は、画像処理部４４で計算されたターゲットの軌道に基づいて、ターゲットがプラズマの中心位置Ｐｔに到達するように、２軸ステージ６３に制御信号を送信し、ターゲット供給部２６の位置を制御してもよい。具体的には、ターゲット制御部５２は、二つの画像中のターゲットの軌道の目標位置からのズレ量を計算し、計算されたズレ量から２軸ステージ６３の制御量を決定し、決定されたズレ量分だけ２軸ステージ６３が移動するように制御信号を送信してもよい。
【００３６】
ターゲット供給部２６からドロップレットが出力されるタイミングと同期して、発振トリガ信号がＥＵＶ光生成制御部５からレーザ装置３に入力されると、レーザ装置３からパルスレーザ光が出力され得る。出力されたパルスレーザ光は、レーザ光進行方向制御部３４を経由して、ウィンドウ２１を通過して、ＥＵＶチャンバ２に入力され得る。レーザ集光光学系２２Ａによって、パルスレーザ光はプラズマ生成領域２５に到達し、ドロップレット上に集光照射され得る。その結果、ドロップレットがプラズマ化して、ＥＵＶ光２５２が生成し得る。
【００３７】
４．３課題
図３に、ターゲットの軌道を計測して、目標のプラズマ生成領域２５の中心点を軌道が通過するように制御する制御システムの実施形態を示す。図３では、チャンバを省略し、制御システムのみを図示する。
【００３８】
ターゲット軌道計測装置４９は、第１撮像装置４０−１と、第１照明装置７０−１と、第２撮像装置４０−２と、第２照明装置７０−２と、画像処理部４４と、を含んでもよい。
【００３９】
第１照明装置７０−１は、光源７１−１と、レンズ７２−１と、ウィンドウ７３−１とを含んでもよく、第２照明装置７０−２は、光源７１−２と、レンズ７２−２と、ウィンドウ７３−２とを含んでもよい。第１撮像装置４０−１は、イメージセンサ４１−１と、転写光学系４２−１と、ウィンドウ４３−１とを含んでもよく、第２撮像装置４０−２は、イメージセンサ４１−２と、転写光学系４２−２と、ウィンドウ４３−２とを含んでもよい。
【００４０】
第１照明装置７０−１と第２照明装置７０−２とは、ターゲットの軌道上で互いに交差するように２方向からそれぞれターゲットを照明するように配置してもよい。第１照明装置７０−１による光の照射方向と第２照明装置７０−２による光の照射方向とは、直交することが望ましいが、必ずしも直交しなくてもよい。また、第１照明装置７０−１による光の照射方向と第２照明装置７０−２による光の照射方向とは、ターゲットの軌道に垂直な平面上に含まれることが望ましいが、一方又は両方が当該平面からずれた方向からターゲットを照射してもよい。
【００４１】
第１撮像装置４０−１と第２撮像装置４０−２とは、互いに直交しているＺ軸方向とＸ軸方向からそれぞれターゲットを撮像するように配置してもよいが、直交しない方向から撮像してもよい。第１撮像装置４０−１と第２撮像装置４０−２とは、同じタイミングで同じターゲットを撮像する位置に配置すればよい。
【００４２】
２軸ステージ６３は、Ｘ軸とＺ軸方向に直線的に移動するステージでもよい。なお、２軸ステージ６３は、直交する２軸方向に直線的に移動するステージであることが望ましいが、異なる２方向に移動すれば、直交しない２方向に移動するものでもよい。
【００４３】
第１撮像装置４０−１と第２撮像装置４０−２とは画像処理部４４に接続されてもよい。画像処理部４４とターゲット制御部５２とは、画像処理部４４から出力されるデータがターゲット制御部５２に送信できるように接続されてもよい。
【００４４】
次に、軌道制御システムの動作について説明する。
【００４５】
ターゲット供給部２６からドロップレットが出力されると、複数個のドロップレットが軌道上を移動し得る。この時、両撮像装置４０−１、４０−２の露光時間を、ドロップレットの像が撮像装置のイメージセンサ上を移動するのに要する時間よりも長く設定してもよい。露光時間を長く設定した場合、撮影されたドロップレットの像は線状の画像となり得る。この線状の画像からターゲットの軌道を計測してもよい。
【００４６】
このように、従来の軌道制御システムでは、ターゲットの軌道を計測する際に、２方向からターゲットに光を照射し、２方向からターゲットの軌道を計測していた。この時、ＥＵＶチャンバ２のスペースの関係で、二つの照明光の方向が互いに直交する方向から照明できない場合があり得た。さらに、照明光と同じ方向からターゲットの軌道の画像を計測することができない場合があり得た。その結果、ターゲットの軌道の計測時に、二つの照明光によって照明されたターゲットの二つの軌道の画像が計測されることがあり得た。図４に、２方向から光を照射されたターゲット画像を示す。図４に示すように、２方向から光を照射されたターゲット画像では、第１の照明光の軌道の画像と、第２の照明光の画像が２重に撮影されるので、ターゲットの軌道の計測精度が悪化することがあり得た。
【００４７】
５．実施形態１：互いに異なる波長の照明光を出力する照明装置を含むターゲット軌道計測装置
５．１  構成
図５に、互いに異なる波長の照明光を出力する照明装置を含むターゲット軌道計測装置４９の実施形態を示す。
【００４８】
以下、図３に示す実施形態と異なる点について主に説明し、図３に示す実施形態と同じ構成及び機能については、同じ符号を付し、それらの説明は省略する。
【００４９】
第１照明装置７０−１は、光源７１−１と、レンズ７２−１と、ウィンドウ７３−１とを含んでもよく、第２照明装置７０−２は、光源７１−２と、レンズ７２−２と、ウィンドウ７３−２とを含んでもよい。第１撮像装置４０−１は、イメージセンサ４１−１と、転写光学系４２−１と、ウィンドウ４３−１と、フィルタ４５−１とを含んでもよく、第２撮像装置４０−２は、イメージセンサ４１−２と、転写光学系４２−２と、ウィンドウ４３−２と、フィルタ４５−２とを含んでもよい。
【００５０】
第１照明装置７０−１の光源７１−１が第１の波長の光を出力する光源でもよく、第２照明装置７０−２の光源７１−２が第２の波長の光を出力する光源でもよい。例えば、第１照明装置７０−１の光源７１−１が４５０ｎｍ付近の波長の光を出力する発光ダイオード（ＬＥＤ）でもよく、第２照明装置７０−２の光源７１−２が６６０ｎｍ付近の波長の光を出力する発光ダイオードでもよい。
【００５１】
フィルタ４５−１は、ターゲットの軌道とイメージセンサ４１−１との間の光路上に配置されてもよい。フィルタ４５−１は、第１の波長の光を通過するバンドパスフィルタでもよい。また、フィルタ４５−２は、ターゲットの軌道からイメージセンサ４１−２との間の光路上に配置されてもよい。フィルタ４５−２は、第２の波長の光を通過するバンドパスフィルタでもよい。なお、イメージセンサ４１−１、４２−１が撮影した画像から第１又は第２の波長の光を演算処理によって抽出するバンドパスフィルタを用いてもよい。
【００５２】
５．２  動作
第１照明装置７０−１から出力された第１の波長の光と、第２照明装置７０−２から出力された第２の波長の光とは、軌道上のターゲットを照明し得る。
【００５３】
第１撮像装置４０−１は、フィルタ４５−１を介して、第１の波長の光が照射されたターゲットの軌道の像を撮影し得る。一方、第２の波長の光は、フィルタ４５−１によって高率で反射又は吸収され得る。第２撮像装置４０−２は、フィルタ４５−２を介して、第２の波長の光が照射されたターゲットの軌道の像を撮影し得る。一方、第１の波長の光は、フィルタ４５−２によって高率で反射又は吸収され得る。
【００５４】
５．３  作用
第１実施形態では、二つの照明装置７０−１及び７０−２が互いに異なる波長の光をターゲットに照射して、二つの撮像装置４０−１及び４０−２に、それぞれの波長に対応するフィルタを配置して撮像しているので、各撮像装置が一つの照明光の画像によってターゲットの軌道を撮像し得る。その結果、ターゲットの軌道計測の精度が改善され得る。
【００５５】
６．実施形態２：互いに異なるタイミングで照明光を出力する照明装置を含むターゲット軌道計測装置
６．１  構成
図６に、互いに異なるタイミングで照明光を出力する照明装置を含むターゲット軌道計測装置４９の実施形態を示す。
【００５６】
以下、図３に示す実施形態と異なる点について主に説明し、図３に示す実施形態と同じ構成及び機能については、同じ符号を付し、それらの説明は省略する。
【００５７】
第１撮像装置４０−１及び第２撮像装置４０−２は、シャッタを含んでもよい。シャッタは、ＣＣＤの電子シャッタ、メカニカルシャッタ、マルチチャンネルプレートを含むイメージインテンシファイアでもよい。
【００５８】
画像処理部４４と第１撮像装置４０−１との間及び画像処理部４４と第２撮像装置４０−２との間のそれぞれに、シャッタの開閉信号を送信する制御信号線を設けてもよい。また、画像処理部４４と第１照明装置７０−１との間及び画像処理部４４と第２照明装置７０−２との間のそれぞれに、点灯信号を送信する制御信号線を設けてもよい。
【００５９】
６．２  動作
図７に、照明装置７０−１、７０−２及び撮像装置４０−１、４０−２の動作タイミングを示す。ここでは、照明装置７０−１、７０−２は、互いに重ならないタイミングで照明光をターゲットに照射しているが、互いに異なるタイミングであれば、部分的に重なっていてもよい。
【００６０】
画像処理部４４は、第１照明装置７０−１が点灯するタイミングに合わせて、第１撮像装置４０−１のシャッタを開けてもよい。第１撮像装置４０−１のシャッタが開くタイミングで、軌道上のターゲットを照明し、ターゲットを撮影し、ターゲットの軌道を撮像し得る。ターゲットの撮影が終了するタイミングで、第１照明装置７０−１を消灯し、第１撮像装置４０−１のシャッタを閉じてもよい。
【００６１】
次に、画像処理部４４は、第２照明装置７０−２が点灯するタイミングに合わせて、第２撮像装置４０−２のシャッタを開けてもよい。第２撮像装置４０−２のシャッタが開くタイミングで、軌道上のターゲットを照明し、ターゲットを撮影し、ターゲットの軌道を撮像し得る。ターゲットの撮影が終了するタイミングで、第２照明装置７０−２を消灯し、第２撮像装置４０−２のシャッタを閉じてもよい。
【００６２】
画像処理部４４は、前述のように照明装置７０−１、７０−２及び撮像装置４０−１、４０−２が動作するように制御信号を送信してもよく、前述した二つのステップを繰り返して、ターゲットの軌道を撮像してもよい。
【００６３】
６．３  作用
第２実施形態では、照明装置７０−１、７０−２は、互いに異なるタイミングで照明光をターゲットに照射して、各撮像装置４０−１、４０−２は、各照明装置７０−１、７０−２の点灯タイミングと同期してターゲットの軌道を撮像するので、各撮像装置が一つの照明光の画像によってターゲットの軌道を撮像し得る。その結果、ターゲットの軌道計測の精度が改善され得る。
【００６４】
７．実施形態３：互いに異なる偏光の照明光を出力する照明装置を含むターゲット軌道計測装置
７．１  構成
図８に、互いに異なる偏光の照明光を出力する照明装置を含むターゲット軌道計測装置４９の実施形態を示す。
【００６５】
以下、図３に示す実施形態と異なる点について主に説明し、図３に示す実施形態と同じ構成及び機能については、同じ符号を付し、それらの説明は省略する。
【００６６】
第１照明装置７０−１は、光源７１−１と、レンズ７２−１と、ウィンドウ７３−１と、フィルタ７４−１とを含んでもよく、第２照明装置７０−２は、光源７１−２と、レンズ７２−２と、ウィンドウ７３−２と、フィルタ７４−２とを含んでもよい。第１撮像装置４０−１は、イメージセンサ４１−１と、転写光学系４２−１と、ウィンドウ４３−１と、フィルタ４５−１とを含んでもよく、第２撮像装置４０−２は、イメージセンサ４１−２と、転写光学系４２−２と、ウィンドウ４３−２と、フィルタ４５−２とを含んでもよい。
【００６７】
第１照明装置７０−１の光源が第１の偏光の光を出力する光源でもよく、第２照明装置７０−２の光源が第２の偏光の光を出力する光源でもよい。例えば、第１照明装置の光源７１−１とターゲットの軌道との間の光路上に第１の偏光の光を透過する偏光フィルタ７４−１を配置し、第１照明装置７０−１が第１の偏光の光をターゲットに照射してもよい。また、第２照明装置の光源７１−２とターゲットの軌道との間の光路上に第２の偏光と異なる偏光の光を透過する偏光フィルタ７４−２を配置し、第２照明装置７０−２が第２の偏光の光をターゲットに照射してもよい。第１の偏光と第２の偏光とは、９０°（π／２）異なることが望ましいが、偏光フィルタで分光できればよい。
【００６８】
ターゲットの軌道とイメージセンサ４１−１との間の光路上には、フィルタ４５−１が配置されてもよい。フィルタ４５−１は第１の偏光の光を通過させる偏光フィルタでもよい。また、ターゲットの軌道からイメージセンサ４１−２との間の光路上には、フィルタ４５−２が配置されてもよい。フィルタ４５−２は第２の偏光の光を通過させる偏光フィルタでもよい。
【００６９】
７．２  動作
第１照明装置７０−１とから出力された第１の偏光の光と、第２照明装置７０−２とから出力された第２の偏光の光とは、軌道上のターゲットを照明し得る。
【００７０】
第１撮像装置４０−１は、フィルタ４５−１を介して、第１の偏光の光が照射されたターゲットの軌道の像を撮影し得る。一方、第２の偏光の光は、フィルタ４５−１によって高率で反射又は吸収され得る。第２撮像装置４０−２は、フィルタ４５−２を介して、第２の偏光の光が照射されたターゲットの軌道の像を撮影し得る。一方、第１の偏光の光は、フィルタ４５−２によって高率で反射又は吸収され得る。
【００７１】
７．３  作用
第３実施形態では、二つの照明装置７０−１及び７０−２が互いに異なる偏光の光をターゲットに照射して、二つの撮像装置４０−１及び４０−２に、それぞれの偏光に対応する偏光フィルタを配置して撮像しているので、各撮像装置が一つの照明光の画像によってターゲットの軌道を撮像し得る。その結果、ターゲットの軌道計測の精度が改善され得る。
【００７２】
以上、実施形態を参照して本発明を説明したが、上記の説明は、制限ではなく単なる例示を意図したものである。従って、特許請求の範囲を逸脱することなく本開示の実施形態に変更を加えることができることは、当業者には明らかであろう。
【００７３】
ある実施形態の構成の一部を他の実施形態の構成に置き換え得る。ある実施形態の構成に他の実施形態の構成を加え得る。各実施形態の構成の一部について、削除、他の構成の追加、他の構成による置換をし得る。
【００７４】
本明細書及び添付の特許請求の範囲全体で使用される用語は、「限定的でない」用語と解釈されるべきである。例えば、「含む」又は「含まれる」という用語は、「含まれるものとして記載されたものに限定されない」と解釈されるべきである。「有する」という用語は、「有するものとして記載されたものに限定されない」と解釈されるべきである。また、本明細書及び添付の特許請求の範囲に記載される修飾句「１つの」は、「少なくとも１つ」又は「１又はそれ以上」を意味すると解釈されるべきである
【符号の説明】
【００７５】
１…ＥＵＶ光生成装置、２…チャンバ、３…レーザ装置、４…ターゲットセンサ（ターゲット軌道計測装置）、５…ＥＵＶ光生成制御部、６…露光装置、１１…ＥＵＶ光生成システム、２１…ウィンドウ、３２…パルスレーザ光、２２…レーザ光集光ミラー、２２Ａ…レーザ集光光学系、２３…ＥＵＶ光集光ミラー、２４…貫通孔、２５…プラズマ生成領域、２５１…放射光、２５２…ＥＵＶ光、２６…ターゲット供給部、２７…ターゲット、２８…ターゲット回収器、２９…接続部、２９１…壁、２９２…第２の焦点が中間集光点、３２…パルスレーザ光、３３…パルスレーザ光、３４…ビームデリバリーシステム（レーザ光進行方向制御部）、４０、４０−１、４０−２…撮像装置、４１、４１−１、４１−２…イメージセンサ、４２、４２−１、４２−２…転写光学系、４３、４３−１、４３−２…ウィンドウ、４４…画像処理部、４５−１、４５−２…フィルタ、５２…ターゲット制御部、６１…露光装置制御部、６２…ノズル、６３…２軸ステージ、７０、７０−１、７０−２…照明装置、７１、７１−１、７１−２…光源、７２、７２−１、７２−２…レンズ、７３、７３−１、７３−２…ウィンドウ、７４−１、７４−２…フィルタ、８１…ＥＵＶ光集光ミラーホルダ、８２…プレート、８３…プレート、８５…３軸ステージ
【図１】
2015166524.tif 000003
【図２】
2015166524.tif 000004
【図３】
2015166524.tif 000005
【図４】
2015166524.tif 000006
【図５】
2015166524.tif 000007
【図６】
2015166524.tif 000008
【図７】
2015166524.tif 000009
【図８】
2015166524.tif 000010
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
プラズマ生成領域のターゲットにレーザ光を照射することによってプラズマ化してＥＵＶ光を生成する装置において、
ノズルから前記ターゲットを供給するターゲット供給部と、
第１の特性の光を出力して、前記ノズルから出力されたターゲットを照明する第１の照明装置と、
前記第１の特性と異なる第２の特性の光を出力して、前記ノズルから出力されたターゲットを照明する第２の照明装置と、
前記第１の特性の光で照明されたターゲットからの反射光を撮影する第１の撮像装置と、
前記第２の特性の光で照明されたターゲットからの反射光を撮影する第２の撮像装置と、を備える極端紫外光生成装置。
【請求項２】
請求項１に記載の極端紫外光生成装置であって、
前記第１の撮像装置と前記第２の撮像装置とは、前記ターゲットの軌道を異なる方向から撮像する極端紫外光生成装置。
【請求項３】
請求項１に記載の極端紫外光生成装置であって、
前記第１の特性は、第１の波長であり、
前記第２の特性は、第２の波長である極端紫外光生成装置。
【請求項４】
請求項３に記載の極端紫外光生成装置であって、
前記第１の撮像装置の撮像素子と前記ターゲットの軌道との間の光路上に、前記第１の波長の光を通過させるフィルタを配置し、
前記第２の撮像装置の撮像素子と前記ターゲットの軌道との間の光路上に、前記第２の波長の光を通過させるフィルタを配置する極端紫外光生成装置。
【請求項５】
請求項１に記載の極端紫外光生成装置であって、
前記第１の特性は、出力の第１のタイミングであり、
前記第２の特性は、出力の第２のタイミングであり、
前記第１の撮像装置は、前記第１のタイミングで前記ターゲットからの反射光を撮影し、
前記第２の撮像装置は、前記第２のタイミングで前記ターゲットからの反射光を撮影する極端紫外光生成装置。
【請求項６】
請求項５に記載の極端紫外光生成装置であって、
前記第２のタイミングは、前記第１のタイミングとは重ならない極端紫外光生成装置。
【請求項７】
請求項１に記載の極端紫外光生成装置であって、
前記第１の特性は、第１の偏光であり、
前記第２の特性は、第２の偏光である極端紫外光生成装置。
【国際調査報告】
2015166524.tif 000011
2015166524.tif 000012
2015166524.tif 000013
2015166524.tif 000014